(57)【特許請求の範囲】
【請求項１】
本体部と、この本体部の先端部に設けられ上記本体部の長さ方向に対して直交する方向に放射状に伸延する３つ以上の第１の突起と、第１の突起と間隔を隔てて上記本体部の基端部に設けられ上記本体部の長さ方向に対して直交する方向に放射状に伸延する３つ以上の第２の突起と、を備えるブロックにおいて、このブロックの重心が上記本体部の中心よりも上記基端部側に位置することを特徴とする護床工用ブロック。
【請求項２】
請求項１に記載の護床工用ブロックにおいて、第１及び第２の各突起は、それぞれの伸延方向に対して直交する断面形状が略四角形であり、これら各略四角形の一方の対角線が上記本体部の長さ方向に対して略直角をなすことを特徴とする護床工用ブロック。
【請求項３】
請求項１又は２に記載の護床工用ブロックにおいて、本体部は、長さ方向に対して直交する断面形状が略三角形又は略四角形であり、第１及び第２の各突起は、上記本体部の略三角形又は略四角形の断面形状の互いに隣合う角部の中間部から外側に向かって伸延することを特徴とする護床工用ブロック。
【請求項４】
請求項１、２、又は３に記載の護床工用ブロックにおいて、上記本体部は、上記基端部が上記先端部よりも太い形状であることを特徴とする護床工用ブロック。
【発明の詳細な説明】
【０００１】
この発明は、河川、用護床路等に設置する水工用ブロックにかかり、更に詳しくは水底に設置してこれを水流による洗掘から防護する護床工用ブロックに関するものである。
【０００２】
【従来の技術】
川底に設置する従来の護床工用ブロックを図７及び図８を参照して説明する。図７は、ブロック１の使用状態を示す平面斜視図であり、複数のブロック１を互いにボルト２により連結して川底３に設置した状態を示す図である。図８は、川底３に設置されている複数のブロック１のうちの１つを示す正面図である。このブロック１は、平面形状が十字の形状であって、所定の厚みを有するものであり、下方部になるに従って細くなっている。
【０００３】
このブロック１を設置するときは、図８に示すように、各ブロック１を立てた状態で川底３に堆積している土砂及び小石の層４にその下部を埋め込み、この土砂等の層４の上に直径が約６０〜２６０ｍｍ程度の栗石５を積んでこの栗石５の層６により各ブロック１を保持させる。
ブロック１は、河川の岸壁に沿って川底３に設置することにより、これらブロック１が設置されている近辺において、栗石５どうしの隙間を流れる水の速度を低下させることができる。これによってこれらブロック１の近辺の栗石５どうしの隙間に魚の生息し易い環境を作ることができ、魚の産卵を増加させることができる。
なお、栗石５どうしの隙間は、魚が通ることができる広さであり、図７及び図８に示す方向７に川の水が流れている。
【０００４】
【発明が解決しようとする課題】
しかし、従来のブロック１では、川の水の流れによって川上から運ばれてきた土砂及び小石の一部がこの設置されているブロック１の川上側の側面８にせき止められて堆積し、この側面８にせき止められた土砂等がブロック１を川下側に押す力として働く。一方、ブロック１の川下側の側面９の近傍の土砂等４ａは、流水によって川下側に運ばれて、川底３のその部分に窪みが形成されることとなり、これによって、ブロック１の川下側の側面９の近傍の栗石５がその窪みに崩れ落ち、その結果、ブロック１を川下側から支持することができなくなる。
このようにして上記のような状況が進むと、各ブロック１を互いに連結するボルト２に各ブロックの重量が掛かって各ボルト２が曲がり、各ブロック１が川下側に傾くこととなり、見栄えが悪くなるという問題がある。
【０００５】
本発明は、水の流れによって傾きにくい護床工用ブロックを提供することを目的とする。
【０００６】
【課題を解決するための手段】
請求項１の発明に係る護床工用ブロックは、本体部と、この本体部の先端部に設けられ上記本体部の長さ方向に対して直交する方向に放射状に伸延する３つ以上の第１の突起と、第１の突起と間隔を隔てて上記本体部の基端部に設けられ上記本体部の長さ方向に対して直交する方向に放射状に伸延する３つ以上の第２の突起と、を備えるブロックにおいて、このブロックの重心が上記本体部の中心よりも上記基端部側に位置することを特徴とするものである。
請求項２の発明に係る護床工用ブロックは、第１の発明において、第１及び第２の各突起は、それぞれの伸延方向に対して直交する断面形状が略四角形であり、これら各略四角形の一方の対角線が上記本体部の長さ方向に対して略直角をなすことを特徴とするものである。
【０００７】
請求項３の発明に係る護床工用ブロックは、第１又は第２の発明において、本体部は、長さ方向に対して直交する断面形状が略三角形又は略四角形であり、第１及び第２の各突起は、上記本体部の略三角形又は略四角形の断面形状の互いに隣合う角部の中間部から外側に向かって伸延することを特徴とするものである。
請求項４の発明に係る護床工用ブロックは、第１、第２、又は第３の発明において、上記本体部は、上記基端部が上記先端部よりも太い形状であることを特徴とするものである。
【０００８】
本発明に係る護床工用ブロックによると、重心が基端部側に位置しているので、例えば本体部を川底に対して略垂直に立てた状態で第２の突起を川底面に当接させて設置することができる。ブロックをこのように設置すると、ブロックの第２の突起の川下側の下面の近傍の土砂等は、例えば増水によって速度の速まった流水によって川下側に運ばれて、その部分に窪みが形成されようとすることがある。ただし、第２の突起が本体部に対して放射状に形成されているので、第２の突起どうしの隙間に順次堆積していく土砂等がその窪みに入り込み、これによって、窪みが形成されないようにすることができる。
このようにして、第２の突起は、流水によって運ばれてくる土砂の下に埋め込まれた状態となり川底にしっかりと固定されることとなる。また、第１及び第２の突起は、水の流れの抵抗となって水の速度を低下させることができる。
【０００９】
請求項２の発明に係る護床工用ブロックによると、このブロックを例えば第２の突起を下にして川底に立てた状態で設置した場合に、第１及び第２の各突起の川上側の上下の各面が水の流れる方向に対して上方又は下方に向かう傾斜面を形成しているので、水はこの傾斜面に沿って上側又は下側方向に向かって流れる。これによって、流水によって川上から運ばれてきた土砂等がこのブロックを川下側に押す力を低減することができる。
【００１０】
請求項３の発明に係る護床工用ブロックによると、第２の突起を下にして本体部を立てて、本体部の側面に形成されている複数の角部のうちの１つの角部を川上側に向けて設置すると、本体部と衝突した川の水を本体部の川上側の平らな左右の側面に沿って左右に分かれさせて流れの方向を変更することができる。そして、この左右に分かれた水は、第１及び第２の各突起の川上側の平らな上下の各面に沿って上下に分かれさせてこれによっても流れの方向を変更することができる。
【００１１】
請求項４の発明に係る護床工用ブロックによると、本体部は、基端部が先端部よりも太い形状であるので、本体部を立てた状態で設置した場合、このブロックの重心を低くすることができる。
【００１２】
【発明の実施の形態】
本発明に係る護床工用ブロックの一実施形態を各図を参照して説明する。このブロックは、コンクリート製であり、例えば図２（ａ）に示すように、河川又は水路の底（川底）に設置して使用することができる。各図に示す１０は本体部、１１は第１の突起、１２は第２の突起である。図１（ａ）はブロックの平面図、図１（ｂ）はブロックの正面図、図２（ａ）は設置したブロックを斜め４５°の正面から見た正面図である。
本体部１０は、図１及び図２に示すように、本体部１０の長さ方向（中心軸線）１３に対して直交する断面形状が正方形の柱状体である。
【００１３】
第１の突起１１は、この本体部１０の先端部（上端部）１４に本体部１０の中心軸線１３の方向に対して直交する方向に放射状に４つ伸延形成されている。各第１の突起１１は、それぞれ同じ形状のものであり、本体部１０の正方形の断面形状の互いに隣合う角部１５の中間部から外側に向かって伸延し、同一水平面上に設けられている。即ち、図１（ａ）に示すようにこの４つの第１の突起１１は、平面形状が十字の形状となっている。各第１の突起１１は、図１（ｂ）に示すように、伸延方向に対して直交する断面形状が正方形であり、これら各正方形の一方の対角線１６が中心軸線１３に対して直角をなす向きに形成されている。そして、各第１の突起１１の下縁に面取りを行ってあり、その面取りにより形成された面１７の対応する対角線１６と平行する方向の幅は、第１の突起１１の先端部１４に向かうに従って広がっている。
【００１４】
第２の突起１２は、図１及び図２に示すように、本体部１０の基端部（下端部）１８に中心軸線１３に対して直交する方向に放射状に４つ伸延形成されている。これら４つの第２の突起１２は、４つの第１の突起１１と上下に略対称な形状であり、本体部１０の正方形の断面形状の互いに隣合う角部１５の中間部から外側に向かって伸延し、同一水平面上に設けられている。そして、各第２の突起１２の上縁に面取りを行ってあり、その面取りにより形成された面１９の対角線２０と平行する方向の幅は、第２の突起１２の先端部１４に向かうに従って広がっている。
なお、第１及び第２の各突起１１、１２の面取りをするのは、製造上の都合によるものである。従って、第１の突起１１の下縁、及び第２の突起１２の上縁に面取りを施さなくて済むように例えば型枠の形状を変更することにより、面取りを施すことを省略することができる。
【００１５】
また、図１（ｂ）の正面図に示すように、本体部１０は、上端面２１から第１の突起１１の中心部に向かうに従って横幅及び奥行きが広がり、この中心部から第１の突起１１の下縁に向かうに従って横幅及び奥行きが狭まっている。そして、第１の突起１１の下縁から第２の突起１２の中心部に向かうに従って横幅及び奥行きが広がり、この中心部から第２の突起１２の下縁（本体部１０の下端面２２）に向かうに従って横幅及び奥行きが狭まっている。そして、本体部１０の横幅及び奥行きは、基端部１８の方が先端部１４よりも長くなっている。これによって、ブロックの重心が本体部１０の中心よりも基端部１８側に位置するようにしている。
【００１６】
上記のように構成された護床工用ブロックは、例えば図３（ａ）の平面図に示すように、全てのブロックを互いに接触させた状態で川の流れる方向７に対して直角をなす方向に複数列並べて、川底３に同じ高さに設置して使用することができる。そしてこの際、図３（ａ）に表れているように、上方から見たそれぞれの本体部１０の一方の対角線２３が川の流れる方向７と平行すると共に、偶数列目の各ブロック（図３（ａ）には２列目のブロックが表れている。）は、その川上側の奇数列目の互いに隣り合う２つのブロック（図３（ａ）には１列目のブロックが表れている。）の中間位置に配置してある。
図２（ａ）は、図３（ａ）に示す複数のブロックのうちの１つを示す図である。図２（ａ）に示す４は土砂及び小石の層であり、６は栗石５の層である。このブロックの４つの第２の突起１２は土砂等の層４に埋め込まれており、４つの第１の突起１１の上部が栗石５の層６の表面から露出している。栗石５どうしの隙間は、魚が通ることができる寸法であり、魚はこの隙間を住家とすることができる。
【００１７】
この護床工用ブロックによると、流水によって川上から運ばれてきた土砂及び小石の一部は、図２（ａ）、図３（ａ）に示すように、この設置されているブロックの本体部１０の川上側の２つの側面２４、２５に沿って左右に分かれ、４つの各第１の突起１１の川上側の上面２６及び下面２７、並びに４つの各第２の突起１２の川上側の上面２８及び下面２９に沿って上下に分かれて川下側に運ばれることとなる。その結果、土砂等がこのブロックを川下側に押す力を低減することができる。一方、ブロックの第２の突起１２の川下側の下面３０の近傍の土砂等は、例えば増水により速度の速まった流水によって川下側に運ばれて、この部分に小さな窪み３１が形成されようとするが、放射状に設けられている第２の突起１２のどうしの隙間に堆積している土砂等、及び順次この隙間に堆積してくる土砂等が第２の突起１２の近傍の窪み３１に入り込み、これによって、第２の突起１２の下方の部分に窪みが形成されないようにすることができる。その結果、川底３に設置されているブロックが川下側に傾かないようにすることができる。
【００１８】
そして、図２（ａ）、図３（ａ）に示すように、流水は、ブロックの本体部１０の川上側の２つの側面２４、２５に沿って左右に分かれて流れの方向が変更し、４つの各第１の突起１１の川上側の上面２６及び下面２７、並びに４つの各第２の突起１２の川上側の上面２８及び２９下面に沿って上下に分かれて流れの方向が変更して川下側に向うこととなる。このように流れの方向を変更することにより、栗石５どうしの隙間内の流水の速度を低下させることができるので、魚の生息、産卵をし易くすることができる。
【００１９】
また、本体部１０の両方の各端部１４、１８に第１の突起１１及び第２の突起１２を放射状に設けてあるので、台風等の増水時において、本体部１０が川の流れる方向７に対して略直角をなす水平状態や、本体部１０が川の流れる方向７に対して平行する状態となっても、このブロックが下流側に流される可能性が少なく、下流側の構造物をこのブロックによって損傷させないようにすることができる。
【００２０】
ただし、上記実施形態では、図２（ａ）に示すように、ブロックの４つの第２の突起１２を土砂等の層４に埋め込んであり、４つの第１の突起１１の上部が栗石５の層６の表面から露出させた状態で設置しているが、これに代えて、図２（ｂ）に示すように、ブロックを立てた状態で第２の突起１２の下縁を川底３の上面に載置することにより設置してもよい。なお、各ブロックは、上記実施形態と同様に、図３（ａ）に示すように、全てのブロックを互いに接触させた状態で川の流れる方向に対して直角をなす方向に複数列並べてある。
【００２１】
ブロックを図２（ｂ）に示すように設置した場合でも、第２の突起１２の川下側の下面３０の近傍の土砂等の層４には窪みができることがなく、従って、このブロックが川下側に傾くことがない。そしてこのように、ブロックが傾くことなく起立した状態が維持されると、流水によって運ばれてきた土砂等が第２の突起１２上に順次堆積していき、やがて第２の突起１２が土砂等に埋め込まれた状態となる。この状態となると、ブロックはしっかりと川底３に固定された状態となる。
図２（ｂ）に示す設置方法は、水の流速を低下させようとする場合に使用することができ、図２（ａ）に示した設置方法と同様に作用するので詳細な説明を省略する。
【００２２】
そして、上記実施形態では、設置された多数のブロックを上方から見ると、図３（ａ）に示すように配列して設置したが、これに代えて、図３（ｂ）、図４（ａ）、又は図４（ｂ）に示すように配列して設置してもよい。つまり、図３（ｂ）、図４（ａ）、及び図４（ｂ）に示すブロックは、図３（ａ）に示すように、川の流れる方向７に対して直角をなす方向に複数列並べてあり、川底に同じ高さに設置してある。そして上方から見たそれぞれの本体部１０の一方の対角線２３が川の流れる方向７と平行すると共に、偶数列目の各ブロックは、その川上側の奇数列目の互いに隣り合う２つのブロックの中間位置に配置してある。
ここで、図３（ｂ）に示す配列では、それぞれのブロックの第１の突起１１（第２の突起１２）が同一線上に並ぶように配置してあり、それぞれの先端面を突き合わせてある。
図４（ａ）に示すブロックの配列が図３（ａ）に示すものと相違するところは、図３（ａ）に示すものでは、ブロックが隣り合うものどうしが互いに接触しているのに対して、図４（ａ）に示すものでは、隣り合うブロックが互いに間隔を隔てて配置されているところである。これ以外は図３（ａ）に示すものと同一の配列であるので詳細な説明を省略する。
【００２３】
図４（ｂ）に示すブロックの配列が図３（ａ）に示すものと相違するところは、図３（ａ）に示すものでは、偶数列目の各ブロックは、その川上側に設置されている奇数列目の互いに隣り合う２つの両方のブロックと接触しているのに対して、図４（ｂ）に示すものでは、偶数列目の各ブロックは、その川上側に設置されている奇数列目の互いに隣り合う２つのブロックのうちの一方と接触しているが他方と接触していないところである。これ以外は図３（ａ）に示すものと同一の配列であるので詳細な説明を省略する。
【００２４】
また、上記実施形態では、図２（ａ）に示すように、第２の突起１２を下にして本体部１０を立てた状態で川底３に設置したが、これに代えて、図５に示すように、本体部１０を寝かした状態にして第１の突起１１を川上側に向け、第２の突起１２を川下側に向けて設置することができる。なお、図５に示す４は土砂及び小石の層であり、６は栗石５の層である。そしてこの際、例えば図６（ａ）、又は図６（ｂ）の平面図に示すように配列することができる。
図６（ａ）に示す配列では、全てのブロックを互いに間隔を隔てた状態で川の流れる方向７に沿って複数列並べて、川底３に同じ高さに設置してある。そして、互いに隣り合う２つの列のうち一方の列の各ブロックのそれぞれの第１の突起１１を他方の列の対応する各ブロックの第１の突起１１と第２の突起１２の間に配置してある。
【００２５】
図６（ｂ）に示す配列では、全てのブロックを互いに接触させた状態で川の流れる方向７に対して直角をなす方向に複数列並べて、川底３に同じ高さに設置してある。そして、偶数列目の各ブロックは、その川上側の奇数列目の互いに隣り合う２つのブロックの中間位置に配置してある。
【００２６】
図５、図６（ａ）、図６（ｂ）に示すように設置したブロックによると、流水によって川上から運ばれてきた土砂及び小石の一部は、図５等に示すように、この設置されているブロックの本体部１０の川上側から川下側に向かって広がる形状の夫々の側面２４、２５、３２、・・・に沿って上側の左右及び下側の左右に分かれ、４つの各第１の突起１１の川上側の上面３３及び下面２６、並びに４つの各第２の突起１２の川上側の上面３４及び下面２８に沿って上下に分かれて川下側に運ばれることとなる。その結果、土砂等がこのブロックを川下側に押す力を低減することができる。一方、ブロックの第１及び第２の突起１１、１２の川下側のそれぞれの下面２７、２９の近傍の土砂等は、例えば増水により速度の速まった流水によって川下側に運ばれて、この部分に小さな窪みが形成されようとするが、川上から運ばれてくる土砂等が第１及び第２の突起１１、１２の近傍のその窪みに入り込み、これによって、第１及び第２の突起１１、１２の川下側の土砂等の層４の部分に窪みができないようにすることができる。その結果、川底３に設置されているブロックが川下側に傾かないようにすることができる。なお、第１及び第２の突起１１、１２は、川上から運ばれてくる土砂等を川下側の上下の各面に沿わせて川下側に向かわせることができる形状となっているので、その土砂等によって窪みが埋められる。
【００２７】
そして、図５、図６（ａ）、図６（ｂ）に示すように、流水は、ブロックの本体部１０の上側の左右の側面３２、３２及び下側の左右の側面２４、２５に沿って四方に分かれて流れの方向が変更し、４つの各第１の突起１１の川上側の上面３３及び下面２６、並びに４つの各第２の突起１２の川上側の上面３４及び下面２８に沿って上下に分かれて流れの方向が変更して川下側に向うこととなる。これにより、栗石５どうしの隙間内の流水の速度を低下させることができるので、魚の生息、産卵をし易くすることができる。
【００２８】
そして、上記実施形態では、図１に示すように、本体部１０の中心軸線１３に対して直交する断面形状を正方形としたが、正方形以外の多角形又は円としてもよい。断面形状を三角形とした場合、第１及び第２の各突起１１、１２は、本体部１０の三角形の断面形状の互いに隣合う角部１５の中間部から外側に向かって伸延形成する。従って、３つの第１の突起１１は、本体部１０の先端部１４に設けられ、本体部１０の中心軸線１３に対して直交する方向に放射状に伸延する。そして、３つの第２の突起１２は、本体部１０の基端部１８に設けられ、本体部１０の中心軸線１３に対して直交する方向に放射状に伸延する構成である。勿論、第１及び第２の突起１１、１２は、それぞれ５つ以上設けてもよい。
【００２９】
また、第１及び第２の突起１１、１２は、伸延方向に直交する断面形状を正方形としたが、正方形以外の多角形又は円としてもよい。
更に、上記実施形態では、第１の突起１１と第２の突起１２を同一の長さとしたが、第２の突起１２を第１の突起１１よりも長く形成してもよい。そして、第２の突起１２を第１の突起１１よりも太くしてもよい。これにより、図１に示すものと比較して、このブロックの重心を本体部１０の中心よりも更に基端部１８側に位置させることができ、その結果、起立させて設置した場合に傾斜しにくくすることができる。
【００３０】
【発明の効果】
本発明に係る護床工用ブロックによると、重心が本体部の中心よりも基端部側に位置しているので、例えば本体部を川底に対して垂直に立てた状態で安定して設置することができる。そして、第２の突起は、放射状に形成されていてそれらの隙間に土砂等が順次堆積していくので、第２の突起の川下側の下面の近傍の川底に窪みが形成されないようにすることができる。これによって、川底に設置されたブロックが傾斜しないようにすることができる。
そして、第２の突起は、川上から運ばれてきた土砂の下に埋め込まれた状態となり、川底にしっかりと固定されることとなるので、このブロックは、水流の影響や土砂の力によって傾くことがない。
また、第１及び第２の突起は、水の流れの抵抗となって水の速度を低下させることができるので、例えば川底に栗石を積むことにより、この栗石どうしの隙間に魚の生息し易い環境を作ることができ、魚の産卵を増加させることができる。
更に、本体部の両方の各端部に第１の突起及び第２の突起を放射状に設けてあるので、台風等の増水時において、例えば倒れた状態となった本体部が川の流れる方向に対して略直角をなす状態や、本体部が川の流れる方向に対して平行する状態となっても、このブロックが下流側に流される可能性が少なく、下流側の構造物をこのブロックによって損傷させないようにすることができる。
【００３１】
請求項２の発明に係る護床工用ブロックによると、このブロックを例えば第２の突起を下にして川底に立てた状態で設置した場合に、水は、第１及び第２の各突起の川上側の上下の各面に沿って上側又は下側方向に向かって流れる。これによって、川上から流水によって運ばれてきた土砂等がこのブロックを川下側に押す力を効果的に低減することができる。その結果、川底に設置されているブロックが川下側に傾斜しないようにすることができる。そして、第１及び第２の突起は、川上側の上下の各面が水の流れる方向を上側及び下側方向に変更することができるので、これによっても水の速度を低下させることができる。
【００３２】
請求項３の発明に係る護床工用ブロックによると、第２の突起を下にして本体部を立てて、本体部の側面に形成されている複数の角部のうちの１つの角部を川上側に向けて設置すると、本体部の断面形状が三角形又は四角形であるので、本体部と衝突した川の水を本体部の川上側の平らな左右の各側面に沿わせて左右に分けて流れの方向を変更することができる。これによって、川上から流水によって運ばれてきた土砂等がこのブロックを川下側に押す力を効果的に低減することができる。その結果、川底に設置されているブロックが傾斜しないようにすることができる。そして、本体部は、川上側の左右の各面が水の流れる方向を左側及び右側方向に変更することができるので、これによっても水の速度を低下させることができる。
【００３３】
請求項４の発明に係る護床工用ブロックによると、本体部は、基端部が先端部よりも太い形状であるので、本体部を立てた状態で設置した場合、このブロックの重心を低くすることができる。これによって、この起立して設置されたブロックが流水によって転倒しにくくすることができる。
【００３４】
【図面の簡単な説明】
【図１】  この発明の一実施形態に係る護床工用ブロックを示す図であり、（ａ）は平面図、（ｂ）は正面図である。
【図２】  同実施形態に係る護床工用ブロックを立てて設置した状態を示す側面図であり、（ａ）はブロックを川底に埋め込んだ場合を示す図であり、（ｂ）は川底に載置した場合を示す図である。
【図３】  （ａ）、（ｂ）は同実施形態に係る護床工用ブロックの配列の例を示す平面図である。
【図４】  （ａ）、（ｂ）は同実施形態に係る護床工用ブロックの配列の他の例を示す平面図である。
【図５】  同実施形態に係る護床工用ブロックを川底に寝かして設置した状態を示す側面図である。
【図６】  （ａ）、（ｂ）は同実施形態に係る護床工用ブロックの配列の他の例を示す平面図である。
【図７】  従来の護床工用ブロックを複数個連結して設置した状態を斜め上方から見た斜視図である。
【図８】  図７に示す従来の護床工用ブロックのうちの１つの設置した状態を示す側面図である。
【符号の説明】
３    川底
４    土砂等の層
５    栗石
６    栗石の層
７    水の流れ方向
１０  本体部
１１  第１の突起
１２  第２の突起
１３  中心軸線
１４  先端部
１５  角部
１８  基端部
１６、２０  対角線
【図１】
0003844916.tif 000002
【図２】
0003844916.tif 000003
【図３】
0003844916.tif 000004
【図４】
0003844916.tif 000005
【図５】
0003844916.tif 000006
【図６】
0003844916.tif 000007
【図７】
0003844916.tif 000008
【図８】
0003844916.tif 000009